(57)【特許請求の範囲】
【請求項１】
ＩＴＵ−Ｔ勧告Ｔ．３０，Ｖ．８，Ｖ．３４の手順に従って相手通信装置との間で通信可能な通信装置において、
当該通信装置を起呼局として被呼局との間で通信回線を接続して勧告Ｖ．８，Ｖ．３４手順を実行しているとき、被呼局からの信号を検出する検出手段と、
前記検出手段の検出結果に基づいて通信手順を制御する制御手段とを備え、
前記検出手段は、
勧告Ｖ．８手順を実行しているときは、当該通信装置が送信したＣＭ（起呼メニュー）信号の予め定められる送信時間ｔ１内で被呼局からのＪＭ（共通メニュー）信号を検出し、
勧告Ｖ．８，Ｖ．３４手順を実行しているときは、当該通信装置の勧告Ｖ．８手順終了後の予め定められる時間ｔ２内で被呼局からの勧告Ｖ．３４のフェーズ２信号を検出し、当該通信装置の勧告Ｖ．３４のフェーズ２手順終了後の予め定められる時間ｔ３内で被呼局からの勧告Ｖ．３４のフェーズ３信号を検出し、当該通信装置の勧告Ｖ．３４のフェーズ３手順終了後の予め定められる時間ｔ４内で被呼局からの勧告Ｖ．３４のフェーズ４信号を検出し、当該通信装置の勧告Ｖ．３４のフェーズ５（フェーズＢ）手順終了後の予め定められる時間ｔ５内で被呼局からの勧告Ｖ．３４のフェーズ６信号を検出し、当該通信装置の勧告Ｖ．３４のフェーズ６およびフェーズＣ手順終了後の予め定められる時間ｔ６内で被呼局からの勧告Ｖ．３４のフェーズ４（フェーズＤの前手順）信号を検出し、
前記制御手段は、
前記ＣＭ送信時間ｔ１内でＪＭ信号が検出されないときは、勧告Ｖ．８手順の実行を中断して、勧告Ｔ．３０手順に従う半二重通信動作を実行し、
予め定められる前記時間ｔ２内で勧告Ｖ．３４のフェーズ２信号が検出されないとき、予め定められる前記時間ｔ３内で勧告Ｖ．３４のフェーズ３信号が検出されないとき、予め定められる前記時間ｔ４内で勧告Ｖ．３４のフェーズ４信号が検出されないとき、予め定められる前記時間ｔ５内で勧告Ｖ．３４のフェーズ６信号が検出されないとき、または予め定められる前記時間ｔ６内で勧告Ｖ．３４のフェーズ４信号が検出されないときは、勧告Ｖ．３４手順の実行を中断して、勧告Ｔ．３０手順に従う半二重通信動作を実行することを特徴とする通信装置。
【請求項２】
ＩＴＵ−Ｔ勧告Ｔ．３０，Ｖ．８，Ｖ．３４の手順に従って相手通信装置との間で通信可能な通信装置において、
当該通信装置を被呼局として起呼局との間で通信回線を接続して勧告Ｖ．８，Ｖ．３４手順を実行しているとき、起呼局からの信号を検出する検出手段と、
前記検出手段の検出結果に基づいて通信手順を制御する制御手段とを備え、
前記検出手段は、
勧告Ｖ．８手順を実行しているときは、当該通信装置が送信したＪＭ（共通メニュー）信号の予め定められる送信時間ｔ７内に起呼局からのＣＪ（ＣＭ終了子）信号を検出し、
勧告Ｖ．８，Ｖ．３４手順を実行しているときは、当該通信装置の勧告Ｖ．８手順終了後の予め定められる時間ｔ８内で起呼局からの勧告Ｖ．３４のフェーズ２信号を検出し、当該通信装置の勧告Ｖ．３４のフェーズ２手順終了後の予め定められる時間ｔ９内で起呼局からの勧告Ｖ．３４のフェーズ３信号を検出し、当該通信装置の勧告Ｖ．３４のフェーズ３手順終了後の予め定められる時間ｔ１０内で起呼局からの勧告Ｖ．３４のフェーズ４信号を検出し、当該通信装置の勧告Ｖ．３４のフェーズ５（フェーズＢ）手順終了後の予め定められる時間ｔ１１内で起呼局からの勧告Ｖ．３４のフェーズ６信号を検出し、当該通信装置の勧告Ｖ．３４のフェーズ６およびフェーズＣ手順終了後の予め定められる時間ｔ１２内で起呼局からの勧告Ｖ．３４のフェーズ４（フェーズＤの前手順）信号を検出し、
前記制御手段は、
前記ＪＭ送信時間ｔ７内でＣＪ信号が検出されないときは、勧告Ｖ．８手順の実行を中断して、勧告Ｔ．３０手順に従う半二重通信動作を実行し、
予め定められる前記時間ｔ８内に勧告Ｖ．３４のフェーズ２信号が検出されないとき、予め定められる前記時間ｔ９内に勧告Ｖ．３４のフェーズ３信号が検出されないとき、予め定められる前記時間ｔ１０内に勧告Ｖ．３４のフェーズ４信号が検出されないとき、予め定められる前記時間ｔ１１内に勧告Ｖ．３４のフェーズ６信号が検出されないとき、または予め定められる前記時間ｔ１２内に勧告Ｖ．３４のフェーズ４信号が検出されないとき、勧告Ｖ．３４手順の実行を中断して、勧告Ｔ．３０手順に従う半二重通信動作を実行することを特徴とする通信装置。
【発明の詳細な説明】
【０００１】
【発明の属する技術分野】
本発明は、ＩＴＵ−Ｔ（国際電気通信連合）の勧告Ｔ．３０，Ｖ．８，Ｖ．３４で規定されている手順に従って通信するファクシミリなどの通信装置に関する。
【０００２】
【従来の技術】
ＩＴＵ−Ｔの勧告Ｔ．３０は一般交換電話網における文書ファクシミリ伝送のための手順を規定したものであり、勧告Ｖ．８は一般交換電話網におけるデータ伝送のセッション開始手順を規定したものであり、勧告Ｖ．３４は一般交換電話網および２線式ポイントツウポイント電話形専用回線で使用する３３６００ｂｐｓまでのデータ信号速度で動作するモデムを規定したものである。
【０００３】
たとえば特開平８−７９４８３号公報に開示された従来技術は、勧告Ｖ．８手順に従って動作可能な通信装置に関し、勧告Ｖ．８手順に従って動作可能な端末からの受信と勧告Ｔ．３０手順に従って動作可能な端末からの受信とをともに可能とするために、ＡＮＳａｍ（変形応答トーン）送信時間内にＣＭ信号を受信したときには、ＪＭ信号を送信して勧告Ｖ．８手順を実行している。また、ＡＮＳａｍ送信時間内にＣＭ信号を受信できなかったときには、ＮＳＦ（非標準機能識別），ＣＳＩ（被呼端末識別）およびＤＩＳ（デジタル識別）信号を送信し、その後ＣＭ信号を受信したときには、ＪＭ信号を送信した後勧告Ｖ．８手順を実行し、ＣＭ信号に代わってＮＳＳ（非標準機能設定），ＴＳＩ（送信端末識別）およびＤＣＳ（デジタル命令）信号を受信したときには勧告Ｔ．３０手順を実行している。
【０００４】
また、特開平８−２１４１３６号公報では、勧告Ｖ．８で与えられる機能を有効利用するために、起呼局からのＣＭ信号送信中に被呼局からのＪＭ信号が受信できないときに、ＣＭ信号の送信終了後、半二重伝送方式に切換えてＪＭ信号を受信し、被呼局では、ＪＭ信号送信中にＣＭ信号およびＣＪ信号を受信できないときに、ＪＭ信号送信終了後、半二重伝送方式に切換えてＣＪ信号を受信する技術が開示されている。
【０００５】
【発明が解決しようとする課題】
勧告Ｔ．３０，Ｖ．８，Ｖ．３４手順に従って通信が可能な装置では、回線を接続して勧告Ｖ．８，Ｖ．３４手順を実行しているとき、該手順に従って回線を切断するように構成されている。したがって、信号レベルが低いなど回線状態が悪いときに、途中で手順を中断できず、所望の信号の検出に時間がかかったり、さらには通信エラーが生じたりする。特に、勧告Ｖ．８，Ｖ．３４手順に従った通信は、勧告Ｔ．３０手順に従った通信に比べて、回線状態の影響を受け易い。このため、通信コストが高価となったり、所望のデータが送受信できなくなる。
【０００６】
本発明の目的は、勧告Ｖ．８，Ｖ．３４手順を実行しているときに回線状態を推定し、その状態に応じて勧告Ｔ．３０手順に切換えることによって、安価な通信コストで所望のデータを確実に送受信できる通信装置を提供することである。
【００２７】
【課題を解決するための手段】
本発明は、ＩＴＵ−Ｔ勧告Ｔ．３０，Ｖ．８，Ｖ．３４の手順に従って相手通信装置との間で通信可能な通信装置において、
当該通信装置を起呼局として被呼局との間で通信回線を接続して勧告Ｖ．８，Ｖ．３４手順を実行しているとき、被呼局からの信号を検出する検出手段と、
前記検出手段の検出結果に基づいて通信手順を制御する制御手段とを備え、
前記検出手段は、
勧告Ｖ．８手順を実行しているときは、当該通信装置が送信したＣＭ（起呼メニュー）信号の予め定められる送信時間ｔ１内で被呼局からのＪＭ（共通メニュー）信号を検出し、
勧告Ｖ．８，Ｖ．３４手順を実行しているときは、当該通信装置の勧告Ｖ．８手順終了後の予め定められる時間ｔ２内で被呼局からの勧告Ｖ．３４のフェーズ２信号を検出し、当該通信装置の勧告Ｖ．３４のフェーズ２手順終了後の予め定められる時間ｔ３内で被呼局からの勧告Ｖ．３４のフェーズ３信号を検出し、当該通信装置の勧告Ｖ．３４のフェーズ３手順終了後の予め定められる時間ｔ４内で被呼局からの勧告Ｖ．３４のフェーズ４信号を検出し、当該通信装置の勧告Ｖ．３４のフェーズ５（フェーズＢ）手順終了後の予め定められる時間ｔ５内で被呼局からの勧告Ｖ．３４のフェーズ６信号を検出し、当該通信装置の勧告Ｖ．３４のフェーズ６およびフェーズＣ手順終了後の予め定められる時間ｔ６内で被呼局からの勧告Ｖ．３４のフェーズ４（フェーズＤの前手順）信号を検出し、
前記制御手段は、
前記ＣＭ送信時間ｔ１内でＪＭ信号が検出されないときは、勧告Ｖ．８手順の実行を中断して、勧告Ｔ．３０手順に従う半二重通信動作を実行し、
予め定められる前記時間ｔ２内で勧告Ｖ．３４のフェーズ２信号が検出されないとき、予め定められる前記時間ｔ３内で勧告Ｖ．３４のフェーズ３信号が検出されないとき、予め定められる前記時間ｔ４内で勧告Ｖ．３４のフェーズ４信号が検出されないとき、予め定められる前記時間ｔ５内で勧告Ｖ．３４のフェーズ６信号が検出されないとき、または予め定められる前記時間ｔ６内で勧告Ｖ．３４のフェーズ４信号が検出されないときは、勧告Ｖ．３４手順の実行を中断して、勧告Ｔ．３０手順に従う半二重通信動作を実行することを特徴とする通信装置である。
【００２８】
本発明に従えば、勧告Ｔ．３０，Ｖ．８，Ｖ．３４手順が実行可能な本発明の通信装置を起呼局として被呼局との間で通信回線を接続し、勧告Ｖ．８手順を実行しているときは、予め定められるＣＭ送信時間ｔ１内に被呼局からのＪＭ信号が検出されないときに、回線状態が悪いと推定されて、勧告Ｖ．８に代わって勧告Ｔ．３０手順に従う半二重通信動作が実行される。
また、勧告Ｖ．８，Ｖ．３４手順を実行しているときは、勧告Ｖ．８手順終了後の予め定められる時間ｔ２内に被呼局からの勧告Ｖ．３４のフェーズ２信号が検出されないとき、勧告Ｖ．３４のフェーズ２手順終了後の予め定められる時間ｔ３内に被呼局からの勧告Ｖ．３４のフェーズ３信号が検出されないとき、また、勧告Ｖ．３４のフェーズ３手順終了後の予め定められる時間ｔ４内に被呼局からの勧告Ｖ．３４のフェーズ４信号が検出されないとき、勧告Ｖ．３４のフェーズ５（フェーズＢ）手順終了後の予め定められる時間ｔ５内に被呼局からの勧告Ｖ．３４のフェーズ６信号が検出されないとき、または、勧告Ｖ．３４のフェーズ６およびフェーズＣ手順終了後の予め定められる時間ｔ６内に被呼局からの勧告Ｖ．３４のフェーズ４（フェーズＤの前手順）信号が検出されないときに、回線状態が悪いと推定されて、勧告Ｖ．３４に代わって勧告Ｔ．３０手順に従う半二重通信動作が実行される。
したがって、通信時間が長くなったり、通信エラーが生じたりすることなく、安価な通信コストで所望のデータを送信することができる。
【００２９】
また本発明は、ＩＴＵ−Ｔ勧告Ｔ．３０，Ｖ．８，Ｖ．３４の手順に従って相手通信装置との間で通信可能な通信装置において、
当該通信装置を被呼局として起呼局との間で通信回線を接続して勧告Ｖ．８，Ｖ．３４手順を実行しているとき、起呼局からの信号を検出する検出手段と、
前記検出手段の検出結果に基づいて通信手順を制御する制御手段とを備え、
前記検出手段は、
勧告Ｖ．８手順を実行しているときは、当該通信装置が送信したＪＭ（共通メニュー）信号の予め定められる送信時間ｔ７内に起呼局からのＣＪ（ＣＭ終了子）信号を検出し、
勧告Ｖ．８，Ｖ．３４手順を実行しているときは、当該通信装置の勧告Ｖ．８手順終了後の予め定められる時間ｔ８内で起呼局からの勧告Ｖ．３４のフェーズ２信号を検出し、当該通信装置の勧告Ｖ．３４のフェーズ２手順終了後の予め定められる時間ｔ９内で起呼局からの勧告Ｖ．３４のフェーズ３信号を検出し、当該通信装置の勧告Ｖ．３４のフェーズ３手順終了後の予め定められる時間ｔ１０内で起呼局からの勧告Ｖ．３４のフェーズ４信号を検出し、当該通信装置の勧告Ｖ．３４のフェーズ５（フェーズＢ）手順終了後の予め定められる時間ｔ１１内で起呼局からの勧告Ｖ．３４のフェーズ６信号を検出し、当該通信装置の勧告Ｖ．３４のフェーズ６およびフェーズＣ手順終了後の予め定められる時間ｔ１２内で起呼局からの勧告Ｖ．３４のフェーズ４（フェーズＤの前手順）信号を検出し、
前記制御手段は、
前記ＪＭ送信時間ｔ７内でＣＪ信号が検出されないときは、勧告Ｖ．８手順の実行を中断して、勧告Ｔ．３０手順に従う半二重通信動作を実行し、
予め定められる前記時間ｔ８内に勧告Ｖ．３４のフェーズ２信号が検出されないとき、予め定められる前記時間ｔ９内に勧告Ｖ．３４のフェーズ３信号が検出されないとき、予め定められる前記時間ｔ１０内に勧告Ｖ．３４のフェーズ４信号が検出されないとき、予め定められる前記時間ｔ１１内に勧告Ｖ．３４のフェーズ６信号が検出されないとき、または予め定められる前記時間ｔ１２内に勧告Ｖ．３４のフェーズ４信号が検出されないとき、勧告Ｖ．３４手順の実行を中断して、勧告Ｔ．３０手順に従う半二重通信動作を実行することを特徴とする通信装置である。
【００３０】
本発明に従えば、勧告Ｔ．３０，Ｖ．８，Ｖ．３４手順が実行可能な本発明の通信装置を被呼局として起呼局との間で通信回線を接続し、勧告Ｖ．８手順を実行しているときは、予め定められるＪＭ送信時間ｔ７内に起呼局からのＣＪ信号が検出されないときに、回線状態が悪いと推定されて、勧告Ｖ．８に代わって勧告Ｔ．３０手順に従う半二重通信動作が実行される。
また、勧告Ｖ．８，Ｖ．３４手順を実行しているときは、勧告Ｖ．８手順終了後の予め定められる時間ｔ８内に起呼局からの勧告Ｖ．３４のフェーズ２信号が検出されないとき、勧告Ｖ．３４のフェーズ２手順終了後の予め定められる時間ｔ９内に起呼局からの勧告Ｖ．３４のフェーズ３信号が検出されないとき、勧告Ｖ．３４のフェーズ３手順終了後の予め定められる時間ｔ１０内に起呼局からの勧告Ｖ．３４のフェーズ４信号が検出されないとき、勧告Ｖ．３４のフェーズ５（フェーズＢ）手順終了後の予め定められる時間ｔ１１内に起呼局からの勧告Ｖ．３４のフェーズ６信号が検出されないとき、または、勧告Ｖ．３４のフェーズ６およびフェーズＣ手順終了後の予め定められる時間ｔ１２内に起呼局からの勧告Ｖ．３４のフェーズ４（フェーズＤの前手順）信号が検出されないときに、回線状態が悪いと推定されて、勧告Ｖ．８に代わって勧告Ｔ．３０手順に従う半二重通信動作が実行される。
したがって、通信時間が長くなったり、通信エラーが生じたりすることなく、安価な通信コストで所望のデータを受信することができる。
【００３１】
【発明の実施の形態】
図１は、本発明の一実施形態である通信装置１の電気的構成を示すブロック図である。当該通信装置１は、ＩＴＵ−Ｔ勧告Ｔ．３０，Ｖ．８，Ｖ．３４の手順に従って相手通信装置との間で通信可能である。制御部２は、たとえばＣＰＵ（中央演算処理装置）で実現され、ＲＯＭ（リードオンリメモリ）１１に記憶された装置全体の動作を制御するプログラムに従って、当該制御部２に接続されたＮＣＵ（ネットワークコントロールユニット）３、モデム４、信号検出部５、タイマ６、読取部７、記録部８、操作部９および表示部１０の動作を制御する。ＲＡＭ（ランダムアクセスメモリ）１２には、動作制御のための各種情報などが一時的に記憶される。ＮＣＵ３は、回線Ｌとの接続を制御するとともに、相手通信装置に対応したダイヤルパルスを送信したり、着信を検出したりする。モデム４で変調された送信データはＮＣＵ３に与えられ、またＮＣＵ３で受信されたデータはモデム４に与えられて復調される。
【００３２】
信号検出部５はモデム４に与えられた受信データから各種手順信号を検出して検出結果を制御部２に与え、制御部２は該検出結果に基づいてモデム４の動作を制御する。
【００３３】
特に信号検出部５は、通信装置１を起呼局としたとき、予め定められるＣＭ送信時間ｔ１内に被呼局からのＪＭ信号を検出する。または、勧告Ｖ．８手順終了後の予め定められる時間ｔ２内に被呼局からの勧告Ｖ．３４のフェーズ２信号を検出する。または、勧告Ｖ．３４のフェーズ２手順終了後の予め定められる時間ｔ３内に被呼局からの勧告Ｖ．３４のフェーズ３信号を検出する。または、勧告Ｖ．３４のフェーズ３手順終了後の予め定められる時間ｔ４内に被呼局からの勧告Ｖ．３４のフェーズ４信号を検出する。または、勧告Ｖ．３４のフェーズ５（フェーズＢ）手順終了後の予め定められる時間ｔ５内に被呼局からの勧告Ｖ．３４のフェーズ６信号を検出する。または、勧告Ｖ．３４のフェーズ６およびフェーズＣ手順終了後の予め定められる時間ｔ６内に被呼局からの勧告Ｖ．３４のフェーズ４（フェーズＤの前手順）信号を検出する。なお、本実施形態の通信装置１ではこれらの信号をすべて検出している。
【００３４】
また信号検出部５は、通信装置１を被呼局としたとき、予め定められるＪＭ送信時間ｔ７内に起呼局からのＣＪ信号を検出する。または、勧告Ｖ．８手順終了後の予め定められる時間ｔ８内に起呼局からの勧告Ｖ．３４のフェーズ２信号を検出する。または、勧告Ｖ．３４のフェーズ２手順終了後の予め定められる時間ｔ９内に起呼局からの勧告Ｖ．３４のフェーズ３信号を検出する。または、勧告Ｖ．３４のフェーズ３手順終了後の予め定められる時間ｔ１０内に起呼局からの勧告Ｖ．３４のフェーズ４信号を検出する。または、勧告Ｖ．３４のフェーズ５（フェーズＢ）手順終了後の予め定められる時間ｔ１１内に起呼局からの勧告Ｖ．３４のフェーズ６信号を検出する。または、勧告Ｖ．３４のフェーズ６およびフェーズＣ手順終了後の予め定められる時間ｔ１２内に起呼局からの勧告Ｖ．３４のフェーズ４（フェーズＤの前手順）信号を検出する。なお、本実施形態の通信装置１ではこれらの信号をすべて検出している。
【００３５】
タイマ６は、前記時間ｔ１〜ｔ１２の他、各種信号の送受信などに要する予め定められる時間を計測する。
【００３６】
本実施形態の通信装置１はファクシミリ機能を備え、読取部７は原稿に描かれた画像を読取る。記録部８は、受信された画像データや読取部７で読取られた画像データを所定の記録紙に印画記録する。操作部９は、相手通信装置を特定するための電話番号を入力するためのダイヤルキーおよびファクシミリ通信動作を開始するためのスタートキーなどを備える。表示部１０には、各種情報が表示される。
【００３７】
図２は、起呼局である通信装置１の通信動作を説明するためのフローチャートである。通信装置１と相手通信装置との間の回線Ｌを接続した後のステップＳ１では、勧告Ｖ．８，Ｖ．３４手順に従った通信を実施するために、各種通信条件を設定する。次にステップＳ２では、勧告Ｔ．３０で規定された所定の信号送信時間Ｔ１をタイマ６にセットし、該時間Ｔ１の計測を開始する。さらにステップＳ３では、勧告Ｔ．３０のＶ．２１チャネル２の信号（フラグ）が検出されたかどうかを判断する。検出されたときにはステップＳ７に進んで勧告Ｖ．８，Ｖ．３４の実行を中断し、さらにステップＳ１０に進んで勧告Ｔ．３０を実行して、通信動作を終了する。ステップＳ３で勧告Ｔ．３０のＶ．２１チャネル２の信号が検出されなかったときにはステップＳ４に進む。
【００３８】
ステップＳ４では、勧告Ｖ．８のＡＮＳａｍ信号が検出されたかどうかを判断する。検出されなかったときにはステップＳ５に進んで所定の信号送信時間Ｔ１がタイムアップするまでステップＳ３，Ｓ４の判断動作を繰返し、該時間Ｔ１がタイムアップするとステップＳ６に進んで勧告Ｖ．８，Ｖ．３４の実行を中断し、回線を切断して通信動作を中断し、終了する。
【００３９】
ステップＳ４でＡＮＳａｍ信号が検出されたときには、ステップＳ８に進んで後述する勧告Ｖ．８，Ｖ．３４手順のフェーズＤまでの処理を実行する。次にステップＳ９に進んで、前記処理によるパラメータｒｅｔｕｒｎが１であるかどうかを判断する。１のときにはステップＳ１０に進んで勧告Ｔ．３０を実行して、通信動作を終了する。１でないときにはステップＳ１１に進んでパラメータｒｅｔｕｒｎが０であるかどうかを判断する。０のときには勧告Ｖ．８，Ｖ．３４手順を最後まで実行して、通信を正常に終了する。０でないときにはステップＳ９に戻る。
【００４０】
図３および図４は、図２のステップＳ８の勧告Ｖ．８，Ｖ．３４手順のフェーズＤまでの処理動作を説明するためのフローチャートである。ステップＳ１２では、予め定められるＶ．８タイムアップ時間ｔ１、すなわちＣＭ信号の送信時間ｔ１をタイマ６にセットし、該時間ｔ１の計測を開始する。次にステップＳ１３では、ＣＭ信号を送信する。さらにステップＳ１４では、被呼局である相手通信装置からのＪＭ信号が検出されたかどうかを判断する。検出されたときにはステップＳ１６に進む。検出されないときにはステップＳ１５に進んで、ＣＭ送信時間ｔ１がタイムアップするまでステップＳ１３，Ｓ１４の動作を繰返し、タイムアップしたとき、すなわち予め定められるＣＭ送信時間ｔ１内にＪＭ信号が検出されないときには、ステップＳ３５に進んで勧告Ｖ．８，Ｖ．３４の実行を禁止するとともに中断し、パラメータｒｅｔｕｒｎに１を設定して動作を終了する。
【００４１】
予め定められるＣＭ送信時間ｔ１内にＪＭ信号が検出されたときのステップＳ１６では、ＣＪ信号を送信する。次にステップＳ１７では、予め定められる時間ｔ２をタイマ６にセットし、該時間ｔ２の計測を開始する。さらにステップＳ１８では、被呼局である相手通信装置からの勧告Ｖ．３４のフェーズ２信号を検出したかどうかを判断する。検出したときにはタイマ６をリセットして予め定められる時間ｔ３をセットし、該時間ｔ３の計測を開始してステップＳ２０に進み、検出していないときにはステップＳ１９に進む。ステップＳ１９で時間ｔ２がタイムアップするまでステップＳ１８の判断動作を繰返し、タイムアップするとステップＳ３５に進む。
【００４２】
ステップＳ２０では、被呼局である相手通信装置からの勧告Ｖ．３４のフェーズ３信号を検出したかどうかを判断する。検出したときにはタイマ６をリセットして予め定められる時間ｔ４をセットし、該時間ｔ４の計測を開始してステップＳ２２に進み、検出していないときにはステップＳ２１に進む。ステップＳ２１で時間ｔ３がタイムアップするまでステップＳ２０の判断動作を繰返し、タイムアップするとステップＳ３５に進む。
【００４３】
ステップＳ２２では、被呼局である相手通信装置からの勧告Ｖ．３４のフェーズ４信号を検出したかどうかを判断する。検出したときにはタイマ６をリセットして予め定められる時間ｘ１をセットし、該時間ｘ１の計測を開始してステップＳ２４に進み、検出していないときにはステップＳ２３に進む。ステップＳ２３で時間ｔ４がタイムアップするまでステップＳ２２の判断動作を繰返し、タイムアップするとステップＳ３５に進む。
【００４４】
ステップＳ２４では、被呼局である相手通信装置からの勧告Ｖ．３４のフェーズ５（フェーズＢ）信号を検出したかどうかを判断する。検出したときにはステップＳ２６に進み、検出していないときにはステップＳ２５に進む。ステップＳ２５で時間ｘ１がタイムアップするまでステップＳ２４の判断動作を繰返し、タイムアップするとステップＳ３５に進む。
【００４５】
ステップＳ２６では、フェーズＢの処理動作を実行する。次にステップＳ２７では、予め定められる時間ｔ５をタイマ６にセットし、該時間ｔ５の計測を開始する。さらにステップＳ２８では、被呼局である相手通信装置からの勧告Ｖ．３４のフェーズ６信号を検出したかどうかを判断する。検出したときにはステップＳ３０に進み、検出していないときにはステップＳ２９に進む。ステップＳ２９で時間ｔ５がタイムアップするまでステップＳ２８の判断動作を繰返し、タイムアップするとステップＳ３５に進む。
【００４６】
ステップＳ３０では、フェーズＣの処理動作を実行する。次にステップＳ３１では、予め定められる時間ｔ６をタイマ６にセットし、該時間ｔ６の計測を開始する。さらにステップＳ３２では、被呼局である相手通信装置からの勧告Ｖ．３４のフェーズ４（フェーズＤの前手順）信号を検出したかどうかを判断する。検出したときにはステップＳ３４に進み、検出していないときにはステップＳ３３に進む。ステップＳ３３で時間ｔ６がタイムアップするまでステップＳ３２の判断動作を繰返し、タイムアップするとステップＳ３５に進む。ステップＳ３４では、フェーズＤの処理動作を実行し、パラメータｒｅｔｕｒｎに０を設定して動作を終了する。
【００４７】
図５は、被呼局である通信装置１の通信動作を説明するためのフローチャートである。通信装置１と相手通信装置との間の回線Ｌを接続した後のステップＳ４１では、勧告Ｔ．３０で規定された所定の信号送信時間Ｔ１をタイマ６にセットし、該時間Ｔ１の計測を開始する。次にステップＳ４２では、勧告Ｖ．８，Ｖ．３４手順に従った通信を実施するために、各種通信条件を設定する。さらにステップＳ４３では、勧告Ｖ．８で規定された所定のＡＮＳａｍ送信時間ｘ２をタイマ６にセットし、該時間ｘ２の計測を開始するとともに、ＡＮＳａｍ信号を送信する。さらにステップＳ４４では、時間ｘ２がタイムアップしたかどうかを判断する。タイムアップしたときにはステップＳ４６に進んで勧告Ｖ．８，Ｖ．３４の実行を中断し、さらにステップＳ５０に進んでＮＳＦ，ＣＳＩおよびＤＩＳ信号を送信し、さらにステップＳ５１に進んで勧告Ｔ．３０を実行して、通信動作を終了する。ステップＳ４４でタイムアップしていないときには、ステップＳ４５に進む。
【００４８】
ステップＳ４５では、ＣＭ信号が検出されたかどうかを判断する。検出されなかったときにはステップＳ４４に戻る。検出されたときにはステップＳ４７に進んで後述する勧告Ｖ．８，Ｖ．３４手順のフェーズＤまでの処理を実行する。次にステップＳ４８に進んで、前記処理によるパラメータｒｅｔｕｒｎが１であるかどうかを判断する。１のときにはステップＳ５０に進んでＮＳＦ，ＣＳＩおよびＤＩＳ信号を送信し、さらにステップＳ５１に進んで勧告Ｔ．３０を実行して、通信動作を終了する。１でないときにはステップＳ４９に進んでパラメータｒｅｔｕｒｎが０であるかどうかを判断する。０のときには勧告Ｖ．８，Ｖ．３４手順を最後まで実行して、通信を正常に終了する。０でないときにはステップＳ４８に戻る。
【００４９】
図６および図７は、図５のステップＳ４７の勧告Ｖ．８，Ｖ．３４手順のフェーズＤまでの処理動作を説明するためのフローチャートである。ステップＳ５２では、予め定められるＶ．８タイムアップ時間ｔ７、すなわちＪＭ信号の送信時間ｔ７をタイマ６にセットし、該時間ｔ７の計測を開始する。次にステップＳ５３では、ＪＭ信号を送信する。さらにステップＳ５４では、起呼局である相手通信装置からのＣＪ信号が検出されたかどうかを判断する。検出されたときにはステップＳ５６に進む。検出されないときにはステップＳ５５に進んで、ＪＭ送信時間ｔ７がタイムアップするまでステップＳ５３，Ｓ５４の動作を繰返し、タイムアップしたとき、すなわち予め定められるＪＭ送信時間ｔ７内にＣＪ信号が検出されないときには、ステップＳ７４に進んで勧告Ｖ．８，Ｖ．３４の実行を禁止するとともに中断し、パラメータｒｅｔｕｒｎに１を設定して動作を終了する。
【００５０】
予め定められるＪＭ送信時間ｔ７内にＣＪ信号が検出されたときのステップＳ５６では、予め定められる時間ｔ８をタイマ６にセットし、該時間ｔ８の計測を開始する。さらにステップＳ５７では、起呼局である相手通信装置からの勧告Ｖ．３４のフェーズ２信号を検出したかどうかを判断する。検出したときにはタイマ６をリセットして予め定められる時間ｔ９をセットし、該時間ｔ９の計測を開始してステップＳ５９に進み、検出していないときにはステップＳ５８に進む。ステップＳ５８で時間ｔ８がタイムアップするまでステップＳ５７の判断動作を繰返し、タイムアップするとステップＳ７４に進む。
【００５１】
ステップＳ５９では、起呼局である相手通信装置からの勧告Ｖ．３４のフェーズ３信号を検出したかどうかを判断する。検出したときにはタイマ６をリセットして予め定められる時間ｔ１０をセットし、該時間ｔ１０の計測を開始してステップＳ６１に進み、検出していないときにはステップＳ６０に進む。ステップＳ６０で時間ｔ９がタイムアップするまでステップＳ５９の判断動作を繰返し、タイムアップするとステップＳ７４に進む。
【００５２】
ステップＳ６１では、起呼局である相手通信装置からの勧告Ｖ．３４のフェーズ４信号を検出したかどうかを判断する。検出したときにはタイマ６をリセットして予め定められる時間ｘ３をセットし、該時間ｘ３の計測を開始してステップＳ６３に進み、検出していないときにはステップＳ６２に進む。ステップＳ６２で時間ｔ１０がタイムアップするまでステップＳ６１の判断動作を繰返し、タイムアップするとステップＳ７４に進む。
【００５３】
ステップＳ６３では、起呼局である相手通信装置からの勧告Ｖ．３４のフェーズ５（フェーズＢ）信号を検出したかどうかを判断する。検出したときにはステップＳ６５に進み、検出していないときにはステップＳ６４に進む。ステップＳ６４で時間ｘ３がタイムアップするまでステップＳ６３の判断動作を繰返し、タイムアップするとステップ７４に進む。
【００５４】
ステップＳ６５では、フェーズＢの処理動作を実行する。次にステップＳ６６では、予め定められる時間ｔ１１をタイマ６にセットし、該時間ｔ１１計測を開始する。さらにステップＳ６７では、起呼局である相手通信装置からの勧告Ｖ．３４のフェーズ６信号を検出したかどうかを判断する。検出したときにはステップＳ６９に進み、検出していないときにはステップＳ６８に進む。ステップＳ６８で時間ｔ１１がタイムアップするまでステップＳ６７の判断動作を繰返し、タイムアップするとステップＳ７４に進む。
【００５５】
ステップＳ６９では、フェーズＣの処理動作を実行する。次にステップＳ７０では、予め定められる時間ｔ１２をタイマ６にセットし、該時間ｔ１２の計測を開始する。さらにステップＳ７１では、起呼局である相手通信装置からの勧告Ｖ．３４のフェーズ４（フェーズＤの前手順）信号を検出したかどうかを判断する。検出したときにはステップＳ７３に進み、検出していないときにはステップＳ７２に進む。ステップＳ７２で時間ｔ１２がタイムアップするまでステップＳ７１の判断動作を繰返し、タイムアップするとステップＳ７４に進む。ステップＳ７３では、フェーズＤの処理動作を実行し、パラメータｒｅｔｕｒｎに０を設定して動作を終了する。
【００５６】
通信装置１を起呼局として被呼局との間で通信回線を接続したときにおいて、本発明の第１の特徴点は、図８（Ａ）および図８（Ｂ）に示されるように、勧告Ｖ．８手順を実行中、予め定められるＣＭ送信時間ｔ１内に被呼局からのＪＭ信号が検出されないときに回線状態が悪いと推定して、勧告Ｖ．８に代わって勧告Ｔ．３０手順に従う半二重通信動作を実行することである。従来の通信装置では、図９（Ａ）および図９（Ｂ）に示されるように、ＪＭ信号が検出されるまでＣＭ信号を送信し続けるので、通信時間が長くなったり、通信エラーが生じたりするが、第１の特徴点によれば短い時間で所望のデータを確実に送信できる。
【００５７】
また本発明の第２の特徴点は、図１０（Ａ）に示されるように、勧告Ｖ．８，Ｖ．３４手順を実行中、勧告Ｖ．８手順終了後の予め定められる時間ｔ２内に被呼局からの勧告Ｖ．３４のフェーズ２信号が検出されないときに回線状態が悪いと推定して、勧告Ｖ．３４に代わって勧告Ｔ．３０手順に従う半二重通信動作を実行することである。従来の通信装置では、図１１（Ａ）に示されるようにフェーズ２信号を待ち続けるので、通信時間が長くなったり、通信エラーが生じたりするが、第２の特徴点によれば短い時間で所望のデータを確実に送信できる。
【００５８】
また本発明の第３の特徴点は、図１２（Ａ）に示されるように、勧告Ｖ．８，Ｖ．３４手順を実行中、勧告Ｖ．３４のフェーズ２手順終了後の予め定められる時間ｔ３内に被呼局からの勧告Ｖ．３４のフェーズ３信号が検出されないときに回線状態が悪いと推定して、勧告Ｖ．３４に代わって勧告Ｔ．３０手順に従う半二重通信動作を実行することである。従来の通信装置では、図１３（Ａ）に示されるようにフェーズ３信号を待ち続けるので、通信時間が長くなったり、通信エラーが生じたりするが、第３の特徴点によれば短い時間で所望のデータを確実に送信できる。
【００５９】
また本発明の第４の特徴点は、図１４（Ａ）に示されるように、勧告Ｖ．８，Ｖ．３４手順を実行中、勧告Ｖ．３４のフェーズ３手順終了後の予め定められる時間ｔ４内に被呼局からの勧告Ｖ．３４のフェーズ４信号が検出されないときに回線状態が悪いと推定して、勧告Ｖ．３４に代わって勧告Ｔ．３０手順に従う半二重通信動作を実行することである。従来の通信装置では、図１５（Ａ）に示されるようにフェーズ４信号を待ち続けるので、通信時間が長くなったり、通信エラーが生じたりするが、第４の特徴点によれば短い時間で所望のデータを確実に送信できる。
【００６０】
また本発明の第５の特徴点は、図１６（Ａ）に示されるように、勧告Ｖ．８，Ｖ．３４手順を実行中、勧告Ｖ．３４のフェーズ５（フェーズＢ）手順終了後の予め定められる時間ｔ５内に被呼局からの勧告Ｖ．３４のフェーズ６信号が検出されないときに回線状態が悪いと推定して、勧告Ｖ．３４に代わって勧告Ｔ．３０手順に従う半二重通信動作を実行することである。従来の通信装置では、図１７（Ａ）に示されるようにフェーズ６信号を待ち続けるので、通信時間が長くなったり、通信エラーが生じたりするが、第５の特徴点によれば短い時間で所望のデータを確実に送信できる。
【００６１】
また本発明の第６の特徴点は、図１８（Ａ）に示されるように、勧告Ｖ．８，Ｖ．３４手順を実行中、勧告Ｖ．３４のフェーズ６およびフェーズＣ手順終了後の予め定められる時間ｔ６内に被呼局からの勧告Ｖ．３４のフェーズ４（フェーズＤの前手順）信号が検出されないときに回線状態が悪いと推定して、勧告Ｖ．３４に代わって勧告Ｔ．３０手順に従う半二重通信動作を実行することである。従来の通信装置では、図１９（Ａ）に示されるようにフェーズ４信号を待ち続けるので、通信時間が長くなったり、通信エラーが生じたりするが、第６の特徴点によれば短い時間で所望のデータを確実に送信できる。
【００６２】
さらに、通信装置１を被呼局として起呼局との間で通信回線を接続したときにおいて、本発明の第７の特徴点は、図２０（Ａ）および図２０（Ｂ）に示されるように、勧告Ｖ．８手順を実行中、予め定められるＪＭ送信時間ｔ７内に起呼局からのＣＪ信号が検出されないときに回線状態が悪いと推定して、勧告Ｖ．８に代わって勧告Ｔ．３０手順に従う半二重通信動作を実行することである。従来の通信装置では、図２１（Ａ）および図２１（Ｂ）に示されるようにＣＪ信号を待ち続けるので、通信時間が長くなったり、通信エラーが生じたりするが、第７の特徴点によれば短い時間で所望のデータを確実に受信できる。
【００６３】
また本発明の第８の特徴点は、図１０（Ｂ）に示されるように、勧告Ｖ．８，Ｖ．３４手順を実行中、勧告Ｖ．８手順終了後の予め定められる時間ｔ８内に起呼局からの勧告Ｖ．３４のフェーズ２信号が検出されないときに回線状態が悪いと推定して、勧告Ｖ．８に代わって勧告Ｔ．３０手順に従う半二重通信動作を実行することである。従来の通信装置では、図１１（Ｂ）に示されるようにフェーズ２信号を待ち続けるので、通信時間が長くなったり、通信エラーが生じたりするが、第８の特徴点によれば短い時間で所望のデータを確実に受信できる。
【００６４】
また本発明の第９の特徴点は、図１２（Ｂ）に示されるように、勧告Ｖ．８，Ｖ．３４手順を実行中、勧告Ｖ．３４のフェーズ２手順終了後の予め定められる時間ｔ９内に起呼局からの勧告Ｖ．３４のフェーズ３信号が検出されないときに回線状態が悪いと推定して、勧告Ｖ．８に代わって勧告Ｔ．３０手順に従う半二重通信動作を実行することである。従来の通信装置では、図１３（Ｂ）に示されるようにフェーズ３信号を待ち続けるので、通信時間が長くなったり、通信エラーが生じたりするが、第９の特徴点によれば短い時間で所望のデータを確実に受信できる。
【００６５】
また本発明の第１０の特徴点は、図１４（Ｂ）に示されるように、勧告Ｖ．８，Ｖ．３４手順を実行中、勧告Ｖ．３４のフェーズ３手順終了後の予め定められる時間ｔ１０内に起呼局からの勧告Ｖ．３４のフェーズ４信号が検出されないときに回線状態が悪いと推定して、勧告Ｖ．８に代わって勧告Ｔ．３０手順に従う半二重通信動作を実行することである。従来の通信装置では、図１５（Ｂ）に示されるようにフェーズ４信号を待ち続けるので、通信時間が長くなったり、通信エラーが生じたりするが、第１０の特徴点によれば短い時間で所望のデータを確実に受信できる。
【００６６】
また本発明の第１１の特徴点は、図１６（Ｂ）に示されるように、勧告Ｖ．８，Ｖ．３４手順を実行中、勧告Ｖ．３４のフェーズ５（フェーズＢ）手順終了後の予め定められる時間ｔ１１内に起呼局からの勧告Ｖ．３４のフェーズ６信号が検出されないときに回線状態が悪いと推定して、勧告Ｖ．８に代わって勧告Ｔ．３０手順に従う半二重通信動作を実行することである。従来の通信装置では、図１７（Ｂ）に示されるようにフェーズ６信号を待ち続けるので、通信時間が長くなったり、通信エラーが生じたりするが、第１１の特徴点によれば短い時間で所望のデータを確実に受信できる。
【００６７】
また本発明の第１２の特徴点は、図１８（Ｂ）に示されるように、勧告Ｖ．８，Ｖ．３４手順を実行中、勧告Ｖ．３４のフェーズ６およびフェーズＣ手順終了後の予め定められる時間ｔ１２内に起呼局からの勧告Ｖ．３４のフェーズ４（フェーズＤの前手順）信号が検出されないときに回線状態が悪いと推定して、勧告Ｖ．８に代わって勧告Ｔ．３０手順に従う半二重通信動作を実行することである。従来の通信装置では、図１９（Ｂ）に示されるようにフェーズ４信号を待ち続けるので、通信時間が長くなったり、通信エラーが生じたりするが、第１２の特徴点によれば短い時間で所望のデータを確実に受信できる。
【００６８】
したがって、第１〜第１２の特徴点によれば、安価な通信コストで所望のデータを確実に送受信することができる。
【００６９】
図２２および図２３は、勧告Ｖ．８，Ｖ．３４手順を正常に終了した場合の起呼局側および被呼局側の通信装置のシーケンスを示す図である。通信装置は、ＩＴＵ−Ｔで定められたように、フェーズ１〜６，Ｃ，４，Ｄを実施して勧告Ｖ．８，Ｖ．３４手順に従った通信を終了する。フェーズ１〜４は、呼の設定および回線確立のシーケンスであり、それぞれＮｅｔｗｏｒｋ  Ｉｎｔｅｒａｃｔｉｏｎ，Ｌｉｎｅ  Ｐｒｏｂｉｎｇ，Ｐｒｉｍａｒｙ  Ｃｈａｎｎｅｌ  Ｅｑｕａｌｉｚｅｒ  Ｔｒａｉｎｉｎｇ，Ｍｏｄｅｍ  Ｐａｒａｍｅｔｅｒ  Ｅｘｃｈａｎｇｅ  のシーケンスである。続くフェーズ５，６は、通信の前処理の過程で端末や伝送路などの状態確認および端末制御のためのシーケンスであり、それぞれＴ．３０  Ｆａｘ  Ｈａｎｄｓｈａｋｉｎｇ，Ｐｒｉｍａｒｙ  Ｃｈａｎｎｅｌ  Ｒｅｓｙｎｃ．のシーケンスである。さらに続くフェーズＣは、ファクシミリメッセージ伝送のためおよびメッセージ伝送中の制御を行うシーケンスである。さらに続くフェーズ４，Ｄは、メッセージ終了と受信確認などを行うシーケンスである。
【００７２】
【発明の効果】
以上のように本発明によれば、本発明の通信装置を起呼局として勧告Ｖ．８，Ｖ．３４手順を実行しているときであって、予め定められるＣＭ送信時間ｔ１内に被呼局からのＪＭ信号が検出されないときに回線状態が悪いと推定され、勧告Ｖ．８手順の実行を中断して、勧告Ｔ．３０手順に従う半二重通信動作が実行される。
また、勧告Ｖ．８手順終了後の予め定められる時間ｔ２内に被呼局からの勧告Ｖ．３４のフェーズ２信号が検出されないときに、またはフェーズ２手順終了後の予め定められる時間ｔ３内に被呼局からの勧告Ｖ．３４のフェーズ３信号が検出されないときに、またはフェーズ３手順終了後の予め定められる時間ｔ４内に被呼局からの勧告Ｖ．３４のフェーズ４信号が検出されないときに、または勧告Ｖ．３４のフェーズ５（フェーズＢ）手順終了後の予め定められる時間ｔ５内に被呼局からの勧告Ｖ．３４のフェーズ６信号が検出されないときに、またはフェーズ６およびフェーズＣ手順終了後の予め定められる時間ｔ６内に被呼局からの勧告Ｖ．３４のフェーズ４（フェーズＤの前手順）信号が検出されないときに、それぞれ回線状態が悪いと推定され、勧告Ｖ．３４に代わって勧告Ｔ．３０手順に従う半二重通信動作が実行される。
したがって、通信時間が長くなったり、通信エラーが生じたりすることなく、安価な通信コストで所望のデータを送信することができる。
【００７３】
また本発明によれば、本発明の通信装置を被呼局として勧告Ｖ．８，Ｖ．３４手順を実行しているときであって、予め定められるＪＭ送信時間ｔ７内に起呼局からのＣＪ信号が検出されないときに回線状態が悪いと推定され、勧告Ｖ．８に代わって勧告Ｔ．３０手順に従う半二重通信動作が実行される。
また、勧告Ｖ．８手順終了後の予め定められる時間ｔ８内に起呼局からの勧告Ｖ．３４のフェーズ２信号が検出されないときに、またはフェーズ２手順終了後の予め定められる時間ｔ９内に起呼局からの勧告Ｖ．３４のフェーズ３信号が検出されないときに、またはフェーズ３手順終了後の予め定められる時間ｔ１０内に起呼局からの勧告Ｖ．３４のフェーズ４信号が検出されないときに、または勧告Ｖ．３４のフェーズ５（フェーズＢ）手順終了後の予め定められる時間ｔ１１内に起呼局からの勧告Ｖ．３４のフェーズ６信号が検出されないときに、または勧告Ｖ．３４のフェーズ６およびフェーズＣ手順終了後の予め定められる時間ｔ１２内に起呼局からの勧告Ｖ．３４のフェーズ４（フェーズＤの前手順）信号が検出されないときに、それぞれ回線状態が悪いと推定されて、勧告Ｖ．８に代わって勧告Ｔ．３０手順に従う半二重通信動作が実行される。
したがって、通信時間が長くなったり、通信エラーが生じたりすることなく、安価な通信コストで所望のデータを受信することができる。
【図面の簡単な説明】
【図１】本発明の一実施形態である通信装置１の電気的構成を示すブロック図である。
【図２】起呼局である通信装置１の通信動作を説明するためのフローチャートである。
【図３】図２のステップＳ８の勧告Ｖ．８，Ｖ．３４手順のフェーズＤまでの処理動作を説明するためのフローチャートである。
【図４】図２のステップＳ８の勧告Ｖ．８，Ｖ．３４手順のフェーズＤまでの処理動作を説明するためのフローチャートである。
【図５】被呼局である通信装置１の通信動作を説明するためのフローチャートである。
【図６】図５のステップＳ４７の勧告Ｖ．８，Ｖ．３４手順のフェーズＤまでの処理動作を説明するためのフローチャートである。
【図７】図５のステップＳ４７の勧告Ｖ．８，Ｖ．３４手順のフェーズＤまでの処理動作を説明するためのフローチャートである。
【図８】通信装置１を起呼局としたときの本発明の第１の特徴点を示すシーケンスである。
【図９】従来の通信装置のシーケンスである。
【図１０】本発明の第２および第８の特徴点を示すシーケンスである。
【図１１】従来の通信装置のシーケンスである。
【図１２】本発明の第３および第９の特徴点を示すシーケンスである。
【図１３】従来の通信装置のシーケンスである。
【図１４】本発明の第４および第１０の特徴点を示すシーケンスである。
【図１５】従来の通信装置のシーケンスである。
【図１６】本発明の第５および第１１の特徴点を示すシーケンスである。
【図１７】従来の通信装置のシーケンスである。
【図１８】本発明の第６および第１２の特徴点を示すシーケンスである。
【図１９】従来の通信装置のシーケンスである。
【図２０】本発明の第７の特徴点を示すシーケンスである。
【図２１】従来の通信装置のシーケンスである。
【図２２】勧告Ｖ．８，Ｖ．３４手順を正常に終了した場合の起呼局側および被呼局側の通信装置のシーケンスを示す図である。
【図２３】勧告Ｖ．８，Ｖ．３４手順を正常に終了した場合の起呼局側および被呼局側の通信装置のシーケンスを示す図である。
【符号の説明】
１  通信装置
２  制御部
３  ＮＣＵ（ネットワークコントロールユニット）
４  モデム
５  信号検出部
６  タイマ
１１  ＲＯＭ（リードオンリメモリ）
１２  ＲＡＭ（ランダムアクセスメモリ）
ｔ１  予め定められるＣＭ送信時間
ｔ２  Ｖ．８手順終了後の予め定められる時間
ｔ３  フェーズ２手順終了後の予め定められる時間
ｔ４  フェーズ３手順終了後の予め定められる時間
ｔ５  フェーズ５（フェーズＢ）手順終了後の予め定められる時間
ｔ６  フェーズＣ手順終了後の予め定められる時間
ｔ７  予め定められるＪＭ送信時間
ｔ８  Ｖ．８手順終了後の予め定められる時間
ｔ９  フェーズ２手順終了後の予め定められる時間
ｔ１０  フェーズ３手順終了後の予め定められる時間
ｔ１１  フェーズ５（フェーズＢ）手順終了後の予め定められる時間
ｔ１２  フェーズＣ手順終了後の予め定められる時間
【図１】
0003617914.tif 000002
【図２】
0003617914.tif 000003
【図３】
0003617914.tif 000004
【図４】
0003617914.tif 000005
【図５】
0003617914.tif 000006
【図６】
0003617914.tif 000007
【図７】
0003617914.tif 000008
【図８】
0003617914.tif 000009
【図９】
0003617914.tif 000010
【図１０】
0003617914.tif 000011
【図１１】
0003617914.tif 000012
【図１２】
0003617914.tif 000013
【図１３】
0003617914.tif 000014
【図１４】
0003617914.tif 000015
【図１５】
0003617914.tif 000016
【図１６】
0003617914.tif 000017
【図１７】
0003617914.tif 000018
【図１８】
0003617914.tif 000019
【図１９】
0003617914.tif 000020
【図２０】
0003617914.tif 000021
【図２１】
0003617914.tif 000022
【図２２】
0003617914.tif 000023
【図２３】
0003617914.tif 000024